(57)【要約】【課題】  光学ローパスフィルタに用いて好適な特性を有する１／４波長板を提供すること。【解決手段】  直線偏光の入射光を円偏光又は楕円偏光に変化させて出射する１／４波長板であって、入射する可視光の各波長λごとの位相差δに対して下記計算式、“  偏光解消度＝（ｓｉｎ（２π×δ／λ））２  ”によって算出される各波長ごとの偏光解消度について、各偏光解消度の平均値が０．８以上となるように形成される１／４波長板。【選択図】    図３
2005055803.tif 000002
【特許請求の範囲】
【請求項１】
直線偏光の入射光を円偏光又は楕円偏光に変化させて出射する１／４波長板であって、
入射する可視光の各波長λごとの位相差δに対して下記計算式、
偏光解消度＝（ｓｉｎ（２π×δ／λ））２、
によって算出される各波長ごとの偏光解消度について、各偏光解消度の平均値が０．８以上となるように形成した、１／４波長板。
【請求項２】
前記平均値が０．８５以上となるように形成した、請求項１に記載の１／４波長板。
【請求項３】
更に、前記各波長λごとの前記偏光解消度の中の最小値が０．８以上となるように形成した、請求項１又は２に記載の１／４波長板。
【請求項４】
直線偏光の入射光を円偏光又は楕円偏光に変化させて出射する１／４波長板であって、
入射する可視光の各波長λごとの位相差δに対して下記計算式、
偏光解消度＝（ｓｉｎ（２π×δ／λ））２、
によって算出される各波長ごとの偏光解消度について視感特性に基づいた重み付けをし、当該重み付け後の各偏光解消度の平均値が０．８以上となるように形成した、１／４波長板。
【請求項５】
前記重み付けは、前記波長ごとの前記偏光解消度のそれぞれに対して、ＣＩＥ標準比視感度に基づく各波長ごとの比視感度を乗算するものである、請求項４に記載の１／４波長板。
【請求項６】
前記平均値が０．８５以上となるように形成した、請求項４又は５に記載の１／４波長板。
【請求項７】
請求項１乃至６のいずれかに記載の１／４波長板を含んで構成される光学ローパスフィルタ。
【請求項８】
請求項７に記載の光学ローパスフィルタと、撮像素子とを含んで構成される撮像モジュール。
【請求項９】
請求項７に記載の光学ローパスフィルタを自己の構成とする第１〜第３の光学ローパスフィルタと、
前記第１〜第３の光学ローパスフィルタとそれぞれ組み合わされる第１〜第３の撮像素子と、
を含む撮像モジュールであって、
前記第１の光学ローパスフィルタが４５０ｎｍを含む第１の波長範囲に対応し、前記第２の光学ローパスフィルタが５５０ｎｍを含む第２の波長範囲に対応し、前記第３の光学ローパスフィルタが６５０ｎｍを含む第３の波長範囲に対応するようにそれぞれ形成されてなる、撮像モジュール。
【請求項１０】
請求項８又は９に記載の撮像モジュールを含んで構成した電子機器。
【請求項１１】
直線偏光の入射光の偏光状態を円偏光又は楕円偏光に変換して出射する１／４波長板のの製造方法であって、
光学特性を判別する対象となる１／４波長板を用意する第１工程と、
前記１／４波長板について、入射光の各波長λごとの位相差δに対して下記の計算式、
偏光解消度＝（ｓｉｎ（２π×δ／λ））２、
によって各波長ごとの偏光解消度を求める第２工程と、
各波長ごとの前記偏光解消度の平均値を求める第３工程と、
前記平均値を選定基準として前記１／４波長板の良否を判別する第４工程と、
を含む、１／４波長板の製造方法。
【発明の詳細な説明】
【技術分野】
【０００１】
本発明は、入射する直線偏光の光を円偏光に変化させる機能を有する１／４波長板に関し、特に光学ローパスフィルタの構成要素として好適な１／４波長板に関する。
【背景技術】
【０００２】
入射光の偏光状態を変化させる機能を有する位相差板が各種用途に用いられている。位相差板としては、入射する直線偏光の振動面を９０度回転させる機能を有する１／２波長板や、入射する直線偏光を円偏光に変化させる機能を有する１／４波長板がよく用いられている。
【０００３】
これらの位相差板は、光学装置（例えば反射型液晶表示装置など）や光学測定系などの各種用途に使用される。例えば、入射光を常光と異常光に分離する機能を有する複屈折板を２つ用いて、これらの複屈折板の間に１／４波長板を挟むことにより、光学ローパスフィルタを構成することができる。このような位相差板についての従来技術は、例えば、特開２０００−１３７１１６号公報（特許文献１）に開示されている。
【０００４】
【特許文献１】特開２０００−１３７１１６号公報
【発明の開示】
【発明が解決しようとする課題】
【０００５】
ところで、デジタルカメラ等において撮像素子の前面に配置され、光学像の空間周波数の高域成分を除去する光学ローパスフィルタを構成する場合に用いられる１／４波長板では、少なくとも可視光の範囲においてその機能を発揮することが求められる。しかし、このような広い波長域で理想的な特性を有する１／４波長板を実現することは現状の技術では難しい。従来の１／４波長板では、ある特定の波長域についてのみ理想的な特性を実現できるが、他の波長域では当該特性から外れていた。このため従来は、１／４波長板を理想的特性に近づけることを目標として、素材や製造条件など種々の方面から研究、開発が行われていたが、理想的特性を満たす１／４波長板を得ることは難しかった。
【０００６】
そこで、本発明は、光学ローパスフィルタに用いて好適な特性を有する１／４波長板を提供することを目的とする。
【課題を解決するための手段】
【０００７】
本願発明者は、１／４波長板の光学特性に関して検討を重ねた結果、特に光学ローパスフィルタの構成要素として用いられる場合には、一般に考えられている１／４波長板の理想的な特性と必ずしも合致していない場合でも、実用上、必要十分な特性を得られる場合があることを見出した。
【０００８】
一般に、１／４波長板は、入射光（直線偏光）に対して出射光の常光線と異常光線との間に生じる位相差（リタデーション）δが、所望する波長範囲において入射光の波長の１／４となること、すなわち、δ＝λ／４の関係が所望の波長範囲において成り立つことが理想的であると考えられる。しかし、このような入射光の波長λに対する位相差δの線形な関係を必ずしも満たさない場合であっても、所定の判別基準により１／４波長板としての機能の良否を定量的に判断することにより、実用上十分な特性を有する位相差板を構成することが可能となることを本願発明者は見出し、当該見識に基づいて本発明を完成するに至った。
【０００９】
すなわち、第１の態様の本発明は、直線偏光の入射光を円偏光又は楕円偏光に変化させて出射する１／４波長板であって、入射する可視光の各波長λごとの位相差δに対して下記計算式、
偏光解消度＝（ｓｉｎ（２π×δ／λ））２、
によって算出される各波長ごとの偏光解消度について、各偏光解消度の平均値が０．８以上となるように形成した、１／４波長板である。
【００１０】
なお、上述した偏光解消度の計算式は、
偏光解消度＝（ｓｉｎ（２π×δ／λ））２×１００（％）、
というように変形して用いることも好ましい。これより、偏光解消度の計算結果がより分かりやすくなる。
【００１１】
上述した偏光解消度を品質パラメータとして用いることにより、位相差板に対して直線偏光を入射し、その偏光状態が直線偏光から円偏光に変換される際の度合いを数値化することが可能となる。この偏光解消度を各波長ごとに計算することによって、各波長ごとの偏光解消度を客観的な数値によって把握可能となる。また、対象としたい波長範囲における偏光解消度の平均値の大小により、位相差板の特性を客観的な数値によって把握可能となる。そして、当該偏光解消度の平均値が０．８（８０％）以上となるように１／４波長板を形成することにより、光学ローパスフィルタの構成要素に用いて好適な１／４波長板を得ることが可能となる。
【００１２】
なお、一般に「可視光」とは、３８０ｎｍ〜７８０ｎｍ程度の範囲内の波長の光を言うことが多いが、より実用的な観点から４００ｎｍ〜７００ｎｍ程度の範囲内の光を指す場合もある。本発明では、いずれの範囲を可視光として採用してもよく、これらの中間的な範囲を採用してもよい。
【００１３】
好ましくは、上述した各偏光解消度の平均値が０．８５以上となるように１／４波長板を形成する。これにより、更に性能のよい１／４波長板を得る。
【００１４】
また、上述した各波長λごとの偏光解消度の中の最小値が０．８以上となるように１／４波長板を形成すると更に好ましい。これにより、更に性能のよい１／４波長板を得る。
【００１５】
第２の態様の本発明は、直線偏光の入射光を円偏光又は楕円偏光に変化させて出射する１／４波長板であって、入射する可視光の各波長λごとの位相差δに対して下記計算式、
偏光解消度＝（ｓｉｎ（２π×δ／λ））２、
によって算出される各波長ごとの偏光解消度について視感特性に基づいた重み付けをし、当該重み付け後の各偏光解消度の平均値が０．８以上となるように形成した、１／４波長板である。
【００１６】
なお、上述した偏光解消度の計算式についても、
偏光解消度＝（ｓｉｎ（２π×δ／λ））２×１００（％）、
というように変形して用いることも好ましい。これより、偏光解消度の計算結果がより分かりやすくなる。
【００１７】
第２の態様の本発明は、上述した第１の態様の本発明において、更に人間の視感特性を考慮したものである。このような視感特性による重み付けをした後の各偏光解消度の平均値が０．８（８０％）以上となるように１／４波長板を形成することにより、光学ローパスフィルタの構成要素に用いて好適な１／４波長板を得ることが可能となる。特に、光学ローパスフィルタが最終的に人間の視感によってその品質を評価される場合、例えばデジタルカメラ、デジタルビデオカメラ等の構成要素として用いられる場合に都合がよい。
【００１８】
ここで、上述した「視感特性」とは、人間の眼による各波長の光に対する感度特性をいう。概略的には、波長５５０ｎｍ付近の光に感度が高く、それより短い波長又は長い波長では感度が低い、というような特性を指す。このような視感特性を考慮した重み付け処理を行うことにより、感度の高い波長における偏光解消度をより重要視し、人間の視感特性に合致しているか否かを的確に評価することが可能となる。
【００１９】
好ましくは、上記重み付けは、各波長ごとの偏光解消度のそれぞれに対して、ＣＩＥ標準比視感度に基づく各波長ごとの比視感度を乗算するものである
【００２０】
視感特性としては種々のものを採用し、あるいは独自に設定することが可能であるが、その中でも特に、光学特性の評価に広く用いられているＣＩＥ標準比視感度を採用することにより、客観性に優れた良好な評価結果を得ることが可能となる。
【００２１】
好ましくは、上述した各偏光解消度の平均値が０．８５以上となるように１／４波長板を形成する。これにより、更に性能のよい１／４波長板を得る。
【００２２】
第３の態様の本発明は、上述した本発明にかかる１／４波長板を含んで構成される光学ローパスフィルタである。かかる光学ローパスフィルタは、例えば、入射光を分離して複数の出射光を形成する複屈折板を２枚用意し、これらの複屈折板の間に１／４波長板を挟んだ構造を有する。これにより、性能のよい光学ローパスフィルタを得る。
【００２３】
第４の態様の本発明は、上述した光学ローパスフィルタと、撮像素子とを含んで構成される撮像モジュールである。かかる撮像モジュールは、例えば、光学像を電気信号に変換する上記撮像素子の前側に光学ローパスフィルタを配置して構成される。更に、撮像素子を駆動する駆動部や、光学像を集光して撮像素子に導くレンズを含んで撮像モジュールが構成されていてもよい。
【００２４】
第５の態様の本発明は、上述した第１又は第２の態様の１／４波長板を含む光学ローパスフィルタであって、入射光の波長範囲を３分割して各波長範囲ごとに形成したものを、それぞれ別個の撮像素子と組み合わせて構成される撮像モジュールである。すなわち、本発明の撮像モジュールは、上述した本発明にかかる光学ローパスフィルタを自己の構成とする第１〜第３の光学ローパスフィルタと、これら第１〜第３の光学ローパスフィルタとそれぞれ組み合わされる第１〜第３の撮像素子と、を含み、第１の光学ローパスフィルタが４５０ｎｍを含む第１の波長範囲に対応し、第２の光学ローパスフィルタが５５０ｎｍを含む第２の波長範囲に対応し、第３の光学ローパスフィルタが６５０ｎｍを含む第３の波長範囲に対応してそれぞれ形成されている。
【００２５】
ここで、上述した「第１の波長範囲」は、４５０ｎｍを含むように可視光の範囲内において短波長域に設定されていればよく、例えば４００ｎｍ〜５００ｎｍの範囲と設定される。同様に、上述した「第２の波長範囲」は、５５０ｎｍを含むように可視光の範囲内において中間的な波長域に設定されていればよく、例えば５００ｎｍ〜６００ｎｍの範囲と設定される。同様に、上述した「第３の波長範囲」は、６５０ｎｍを含むように可視光の範囲内において長波長側に設定されていればよく、例えば５００ｎｍ〜６００ｎｍの範囲と設定される。
【００２６】
第６の態様の本発明は、上述した撮像モジュールを含んで構成した電子機器である。このような電子機器としては、例えば、デジタルカメラ、デジタルビデオカメラなどの撮像装置や、カメラ付きの携帯電話、カメラ付きのパーソナルコンピュータやＰＤＡなどが挙げられる。
【００２７】
第７の態様の本発明は、直線偏光の入射光の偏光状態を円偏光又は楕円偏光に変換して出射する１／４波長板の製造方法であって、光学特性を判別する対象となる１／４波長板を用意する第１工程と、当該１／４波長板について、入射光の各波長λごとの位相差δに対して下記の計算式、
偏光解消度＝（ｓｉｎ（２π×δ／λ））２、
によって各波長ごとの偏光解消度を求める第２工程と、各波長ごとの前記偏光解消度の平均値を求める第３工程と、当該平均値を選定基準として１／４波長板の良否を判別する第４工程と、を含む１／４波長板の製造方法である。
【００２８】
なお、上述した偏光解消度の計算式は、
偏光解消度＝（ｓｉｎ（２π×δ／λ））２×１００（％）、
というように変形して用いることも好ましい。これより、偏光解消度の計算結果がより分かりやすくなる。
【００２９】
ここで、上述した選定基準は適宜設定し得るものであるが、本願発明者の検討によれば、概ね０．８（８０％）程度の値とすれば良好な評価結果が得られることが確認されている。すなわち、偏光解消度の平均値が０．８（８０％）を超える場合には、その位相差板は良好な特性を有すると判断する。
【００３０】
また、第３工程において算出される各波長ごとの偏光解消度の中から最小値のものを抽出する工程と、当該抽出した最小値が所定の基準値を超えるか否かを判定する工程とを更に含むことが望ましい。
【００３１】
また、第３工程において算出される波長ごとの偏光解消度に対して視感特性に基づいた重み付けを行う工程と、当該重み付けが行われた後の偏光解消度の平均値を算出する工程と、当該平均値が所定の基準値を超えるか否かを判定する工程とを更に含むことも望ましい。
【００３２】
また、重み付け処理が行われた後の波長ごとの偏光解消度の中から最小値のものを抽出する工程と、当該抽出した最小値が所定の基準値を超えるか否かを判定する工程とを更に含むことも望ましい。
【発明を実施するための最良の形態】
【００３３】
以下、本発明の実施の形態について図面を参照して説明する。
始めに、本願発明において１／４波長板の評価パラメータとして提案されている偏光解消度について詳細に説明する。
【００３４】
本願における偏光解消度とは、１／４波長板に対して直線偏光を入射し、その偏光状態が直線偏光から円偏光に変換される際の度合いを数値化したものであり、本願発明者が独自に提案するものである。
【００３５】
すなわち、１／４波長板に入射する光の各波長λごとの位相差δに対して、偏光解消度は下記の計算式によって求められる。
偏光解消度＝（ｓｉｎ（２π×δ／λ））２    …（１）
【００３６】
また、上述した偏光解消度の計算式は、
偏光解消度＝（ｓｉｎ（２π×δ／λ））２×１００（％）    …（２）
というように変形して用いることにより計算結果がより分かりやすくなる。このため、本実施形態ではそのようにする。
【００３７】
図１は、上述した偏光解消度の計算式の物理的な意味を説明するための図である。同図（ａ）は、偏光解消度の計算式のうちｓｉｎ（２π×δ／λ）の部分についてグラフ化して示す図であり、同図（ｂ）は、δ／λの値に対応する位相差板の出射光の偏光状態を簡略化して示す図である。
【００３８】
上述したように、１／４波長板は、入射する直線偏光を円偏光に変換して出射する機能を有する位相差板である。本願では、この１／４波長板に直線偏光を入射したときに、出射光が理想的な円偏光になった場合を偏光解消度＝１００％、出射光が直線偏光のままである場合を偏光解消度＝０％と表すこととし、位相差板による直線偏光から円偏光への変換状態を上記（１）式又は（２）式によって数値化している。
【００３９】
上記（１）式又は（２）式において“ｓｉｎ（２π×δ／λ）”の部分は、１／４波長板を実測して得られた位相差（リタデーション）δとこの位相差δを実測する際に入射した光の波長λとの比δ／λを可変パラメータとしている。ここで、２π×δ／λ＝θとおく。また、“ｓｉｎ（２π×δ／λ）”を２乗しているのは、“ｓｉｎ（２π×δ／λ）”の部分が負の値となる場合にも、偏光解消度として正の値を得るためである。また、一般に光の強度が２乗値で表されることにも対応している。
【００４０】
図１（ｂ）に示すように、δ／λ＝０の場合には、入射光に対して位相差が生じず偏光状態に変化がない。この場合にはθ＝０となり、上記（２）式により偏光解消度は０％と計算される。すなわち、これは１／４波長板がその機能を発揮し得ない状態を意味する。δ／λ＝１の場合も同様である。
【００４１】
δ／λ＝１／４の場合には、１／４波長板がその機能を十分に発揮し、出射光が円偏光となる。この場合にはθ＝π／２となり、上記（２）式により偏光解消度は１００％と計算される。同様に、δ／λ＝３／４の場合にも、偏光解消度は１００％と計算される
【００４２】
δ／λ＝１／２の場合には、１／４波長板がその機能を発揮し得ず、入射光に対して１／２波長板として機能しており、入射した直線偏光がその偏光面を９０度変えて出射される。この場合にはθ＝πとなり、上記（１）式により偏光解消度は０％と計算される。
【００４３】
また、比δ／λが１／４又は３／４に近い場合、すなわちθがπ／２又は３π／４に近い場合にも、１／４波長板がその機能を比較的によく発揮する状態であり、出射光が円偏光に近い状態（楕円偏光）となる。この場合には、偏光解消度は数１０％（例えば８５％など）と計算される。
【００４４】
このように、上記（２）式を用いることにより、１／４波長板３の偏光解消度を定量的に評価することができるようになる。入射光の波長λを例えば４００ｎｍ〜７００ｎｍの範囲内（可視光の範囲内）で１０ｎｍ毎に可変に設定し、測定して得られた位相差δのデータを用いて、各波長ごとの偏光解消度が算出される。
【００４５】
本実施形態の１／４波長板は、このような偏光解消度とその平均値を特性パラメータとしてその特性を規定し、形成される。このような１／４波長板は、例えば、一軸延伸法によって形成したプラスチックフィルムを用いて形成可能である。プラスチックフィルムの複屈折率（屈折率異方性）を考慮して、フィルム厚を適宜設定し、或いは製造条件（例えば延伸量など）を設定することにより、１／４波長板としての機能を実現し、更にその特性を制御することができる。一軸延伸したプラスチックフィルムは、比較的に大きな複屈折率を確保することができるので、従来のように水晶板を使用して１／４波長板を構成する場合に比較して、１／４波長板を薄板化することが可能となる。また、延伸法は、製造コストが低く、大量生産に向くという利点がある。
【００４６】
ここで、偏光解消度の判断基準の数値であるが、偏光解消度の平均値が概ね８０％以上の場合に、光学ローパスフィルタの構成部材として好適な１／４波長板が得られることが発明者によって確認されている。また当該平均値は８５％以上であると更に好適である。特性確認のための実験は、１／４波長板を用いて水晶等からなる複屈折板で挟んだ構造の光学ローパスフィルタを形成し、更にこれをデジタルカメラに組み込んで実際に画像を撮影し、当該撮影された画像に対して複数人による視感評価をすることにより行った。
【００４７】
図２は、位相差δのデータと偏光解消度との関係の具体例を概略的に示す図である。図２の例では、表の左から１列目（Ｌ１）に入射光の波長λが、２列目（Ｌ２）に位相差δが、３列目（Ｌ３）に各波長ごとの偏光解消度の算出結果がそれぞれ示されている。また、欄Ｌ５に偏光解消度の平均値が示されている。図示の例の１／４波長板は、欄Ｌ５に示すように偏光解消度の平均値が９７．６％である。なお、Ｌ４、Ｌ６、Ｌ７及びＬ８に示される各要素については後述する。
【００４８】
図３〜図６は、偏光解消度を特性パラメータとして形成した１／４波長板の具体例についてその光学特性を説明する図である。各図は、横軸を入射光の波長λ（ｎｍ）、第１の縦軸（左側）を位相差板によって生じる位相差δの実測値、第２の縦軸（右側）を各波長ごとの偏光解消度として描画したグラフである。また、各図における実線は一般に考えられている１／４波長板としての理想的な特性を示し、四角のプロットが位相差δと示し、丸のプロットが偏光解消度を示す。
【００４９】
図３に示す１／４波長板（サンプルＡ）は、位相差δ及び偏光解消度が図示のような特性を示している。このサンプルＡの偏光解消度の平均値は９７．６％となっており、例示のサンプル中では最も好ましい特性を備えている。
【００５０】
図４に示す１／４波長板（サンプルＢ）は、位相差δ及び偏光解消度が図示のような特性を示している。このサンプルＢの偏光解消度の平均値は９２．０％となっており、例示のサンプル中では２番目によい特性を備えている。
【００５１】
図５に示す１／４波長板（サンプルＣ）は、位相差δ及び偏光解消度が図示のような特性を示している。このサンプルＣの偏光解消度の平均値は８３．６％となっており、例示のサンプル中では３番目に好ましい特性を備えている。
【００５２】
図６に示す１／４波長板（サンプルＤ）は、位相差δ及び偏光解消度が図示のような特性を示している。このサンプルＤの偏光解消度の平均値は７７．９％となっており、本実施形態における基準から外れている。すなわち、本発明にかかる１／４波長板として望ましい特性を備えていない。
【００５３】
更に、各波長ごとの偏光解消度の中からその値が最小となるものを抽出し、当該抽出した偏光解消度（以下、これを「ｍｉｎ偏光解消度」と呼ぶ。）についても特性パラメータとすることが望ましい。本実施形態では、このｍｉｎ偏光解消度についても、１／４波長板の特性を規定するパラメータとして用いる。
【００５４】
より具体的には、１／４波長板における各波長ごとの偏光解消度の中から抽出したｍｉｎ偏光解消度が所定の基準値（例えば８０％）以上となる場合に当該１／４波長板は望ましい特性を有すると判断する。本実施形態では、上記の基準値を９５％としている。このｍｉｎ偏光解消度に関する判定は、対象とする波長範囲のすべてについて行ってもよいが、人間の視感がより敏感な波長範囲内において行うと更に効果的である。例えば、本実施形態では、波長範囲を４４０ｎｍ〜６７０ｎｍの範囲に限って、当該範囲内においてｍｉｎ偏光解消度を抽出する。上述した図２の表では、このｍｉｎ偏光解消度の例が欄Ｌ７に示されている。
【００５５】
上述した例示のサンプルＡ〜Ｄについて、ｍｉｎ偏光解消度を求めた結果が図３〜図６のそれぞれの図中に示されている。すなわち、図３に示したように、サンプルＡはｍｉｎ偏光解消度が９５．４％（６７０ｎｍ）であった。図４に示したように、サンプルＢはｍｉｎ偏光解消度が８１．４％（４４０ｎｍ）であった。図５に示したように、サンプルＣはｍｉｎ偏光解消度が７１．２％（５００ｎｍ）であった。図６に示したように、サンプルＤはｍｉｎ偏光解消度が６３．４％（４９０ｎｍ）であった。ｍｉｎ偏光解消度についても特性パラメータとして採用し、その基準値を９５％とした場合には、例示のサンプル中ではサンプルＡのみが条件を満たす。
【００５６】
ところで、１／４波長板の良否が最終的に人間の視感によってその品質を評価される場合、例えば当該１／４波長板を含む光学ローパスフィルタがデジタルカメラ、デジタルビデオカメラ等の構成要素として用いられる場合には、上述した偏光解消度について、更に人間の視感特性を考慮して補正することが好ましい。以下、視感特性による補正（重み付け）を行う場合について詳細に説明する。
【００５７】
この場合には、まず各波長ごとの偏光解消度のそれぞれに対して、人間の視感特性に基づいた重み付け処理を行う。本実施形態では、この重み付け処理をＣＩＥ標準視感度の曲線に基づいて行う。
【００５８】
図７は、ＣＩＥ標準視感度の曲線について説明する図である。一般に、人間の視感特性は、波長５５０ｎｍ付近の光に対して最も敏感であり、これよりも短波長側または長波長側となるほど鈍感になる。このような視感特性を標準化したものがＣＩＥ標準視感度であり、一般によく知られている。このＣＩＥ標準視感度に基づいて偏光解消度の算出結果に対する重み付け処理、すなわち視覚特性を加味した補正を行うことにより、人間の眼の特性に合致した評価結果を得ることができる。
【００５９】
具体的には、本実施形態では、各波長λごとの偏光解消度を「偏光解消度（λ）」、各波長ごとの比視感度を「比視感度（λ）」とそれぞれ表記すると、比視感度による重み付け処理後の偏光解消度（補正後の偏光解消度）の平均値は下記の計算式によって算出される。
偏光解消度（補正後）の平均値＝Σ｛偏光解消度（λ）×比視感度（λ）｝／Σ比視感度（λ）    …（３）
【００６０】
ここで上記（３）式において“Σ”は総和演算を表す。すなわち（３）式の分子は、評価対象とする波長範囲において各波長λごとの偏光解消度と当該波長λのそれぞれに対応する比視感度とを乗算し、これらを足し合わせる演算を示す。上述した図２の表においては、この演算結果の例が４列目（Ｌ４）に示されている。（３）式の分母は、評価対象とする波長範囲において各波長λに対応する比視感度を足し合わせる演算を示す。この（３）式を用いることにより、比視感度を加味して偏光解消度を補正することが可能となる。上述した図２においては、この（３）式による演算結果の例が欄Ｌ６に示されている。
【００６１】
このような重み付け処理は、１／４波長板を用いて構成される光デバイスによる出力画像が最終的に人間の眼により評価される場合に特に有効である。例えば、デジタルカメラ等の構成要素としての光学ローパスフィルタに用いられる１／４波長板を評価する際に本実施形態を適用することにより、人間の視感特性にマッチした好適な評価結果が得られる。
【００６２】
上述した図３〜図６に示す特性の１／４波長板について、それぞれ視感特性に基づく重み付け（補正）を行った場合の各サンプルの特性パラメータを下記表に示す。
【００６３】
【表１】
2005055803.tif 000003
【００６４】
この例に示すように、比視感度を考慮することにより、これを考慮しない場合の偏光解消度の平均値に比べてその値が増加する場合も減少する場合もあり得ることが分かる。重み付け後（補正後）の偏光解消度についても、８０％（０．８）以上であるとよく、更に好適には８５％（０．８５）以上であるとよい。本例においては、サンプルＡが最も望ましい特性を備えている。
【００６５】
次に、本発明にかかる１／４波長板の製造方法について、主に、１／４波長板が所望の特性を備えているか否かを判別する検査プロセスに着目して説明する。以下では、まず当該検査プロセスに用いられる検査システムの一例の構成を示し、その後検査プロセスについて詳細に説明する。
【００６６】
図８は、一実施形態の１／４波長板の検査システムの構成について説明する図である。図８に示す当該システムは、所定のプログラムを実行することにより、１／４波長板３の光学特性を検査するための検査装置として機能するコンピュータ１と、検査対象となる１／４波長板３に光を通したときに生じる常光線と異常光線との位相差（リタデーション）δを光の波長λを可変に設定してそれぞれの波長ごとに測定してコンピュータ１に出力する位相差測定装置２とを含んで構成される。この検査システムは、例えば、１／４波長板の製造プロセス中において、所定のプロセスを経て形成された１／４波長板の品質を検査する検査工程において用いられる。
【００６７】
コンピュータ１は、ＣＰＵ１０、ＲＯＭ１１、ＲＡＭ１２、インタフェース部１３、ハードディスク（ＨＤ）装置１４、入力装置１５、表示装置１６、ディスク装置１７を含んで構成される。当該コンピュータ１としては、例えば汎用のパーソナルコンピュータを用いることが可能である。
【００６８】
ＣＰＵ１０は、ＲＯＭ１１或いはハードディスク装置１４に格納されたプログラムを読み出し、これを実行することによって各種の演算や制御を行う。
ＲＯＭ１１は、不揮発性のメモリであり、コンピュータ１の起動時に必要なプログラムやその他の基本的プログラムが格納されている。例えば、ＲＯＭ１１は、コンピュータ１の電源が投入された際にＯＳ（オペレーションシステム）をＲＡＭ１２に読み込む動作をＣＰＵ１０に行わせるためのプログラム等を記憶している。
ＲＡＭ１２は、揮発性のメモリであり、ＣＰＵ１０の処理に必要な各種のプログラムやデータが一時的に格納される。
【００６９】
インタフェース部１３は、１／４波長板３の位相差の測定結果（位相差データ）を位相差測定装置２からコンピュータ１に取り込むための処理を行う。このインタフェース部１３としては、例えば、ＵＳＢ（Universal Serial Bus）、ＩＥＥＥ１３９４、ＳＣＳＩ（Small Computer System Interface）、ＲＳ−２３２Ｃ、その他各種の規格による入出力装置を用いることができる。このインタフェース部１３を介して取り込まれた位相差データは、ＲＡＭ１２又はハードディスク装置１４に格納される。
【００７０】
ハードディスク装置１４は、コンピュータ１の動作に必要な基本プログラム、各種のアプリケーションソフトのプログラムやデータなどを格納する書き換え可能な記憶装置である。本実施形態では、このハードディスク装置１４に検査用のプログラム１８が格納されている。当該プログラム１８がＣＰＵ１０によって読み出されてＲＡＭ１２に一時的に格納され、このプログラム１８がＣＰＵ１０によって実行されることにより、コンピュータ１が１／４波長板の検査装置として機能する。
【００７１】
入力装置１５は、コンピュータ１に対して各種の操作指示を与えるためのものであり、例えばマウスやキーボードなどを含む。本実施形態では、当該入力装置１５を用いて、１／４波長板３の検査を行う際の各種パラメータの入力などが行われる。
表示装置１６は、コンピュータ１の動作時における画像表示を行うためのものであり、例えば液晶表示装置やＣＲＴ表示装置などが用いられる。本実施形態では、当該表示装置１６を用いて、１／４波長板３の評価結果の表示などが行われる。
【００７２】
ディスク装置１７は、コンピュータ１が、書き換え可能なＣＤ−Ｒ、ＤＶＤ−ＲＡＭなどの光ディスク、光磁気ディスク、フロッピーディスクなど各種のディスク型記録媒体を介してデータの入出力を行うためのものである。位相差測定装置２からの位相差データの取り込みは、インタフェース部１３を介して行う場合の他に、当該ディスク装置１７を介して行うことも可能である。また、当該ディスク装置１７にプログラム１８が記録されたディスク型記録媒体を装填し、当該プログラムを読み出すことによってコンピュータ１を検査装置として機能させるように構成してもよい。
【００７３】
図９は、コンピュータ１が位相差板の検査装置として機能する際の当該機能に着目してその構成を説明するブロック図である。図２に示す制御部３０は、主にＣＰＵ１０、ＲＯＭ１１、ＲＡＭ１２を含むハードウェアと位相差検査用のプログラム１８とが協働することにより実現されるものであり、位相差データ格納部３１、偏光解消度算出部３２、重み付け処理部３３、平均値算出部３４、判定処理部３５を含む。
【００７４】
位相差データ格納部３１は、インタフェース部１３を介して取得される位相差データを格納する。ここで、位相差データとは、光を１／４波長板３に通したときに生じる常光線（ordinary ray）と異常光線（extraordinary ray）との位相差δの数値データである。本実施形態では、１／４波長板３に入射させる光の波長を可変に設定してそれぞれの波長ごとに位相差δを測定している。特に本実施形態では、可視光の範囲内において機能させるべき１／４波長板３を対象としており、当該可視光の範囲内において入射光の波長を適当な間隔（例えば１０ｎｍ）ごとに測定して位相差データを得ている。
【００７５】
なお、一般に「可視光」とは、３８０ｎｍ〜７８０ｎｍ程度の範囲内の波長の光を言うことが多いが、より実用的な観点から４００ｎｍ〜７００ｎｍ程度の範囲内の光を指す場合もある。本実施形態では、可視光として、少なくとも入射光の波長λが４００ｎｍ〜７００ｎｍの範囲を考えるが、これに限定する趣旨ではない。
【００７６】
偏光解消度算出部３２は、位相差データ格納部３１に格納された位相差データを用いて、（ｓｉｎ（２π×δ／λ））２と定義される偏光解消度を各波長λのそれぞれに対応して算出する。
【００７７】
重み付け処理部３３は、偏光解消度算出部３２により算出される各波長ごとの偏光解消度のそれぞれに対して、人間の視感特性に基づいた重み付け処理を行う。上述したように、本実施形態ではこの重み付け処理をＣＩＥ標準視感度の曲線に基づいて行う。
【００７８】
平均値算出部３４は、偏光解消度算出部３２によって算出される各波長ごとの偏光解消度の平均値（以下、これを「第１の平均値」と呼ぶ。）と、重み付け処理部３３による重み付け処理がなされた後の偏光解消度の平均値（以下、これを「第２の平均値」と呼ぶ。）を算出する。この平均値算出部３４による演算結果のデータや上述した偏光解消度算出部３２及び重み付け処理部３３による演算結果のデータ（いわゆる生データ）については、適宜、ハードディスク装置１４に記憶され、或いはディスク装置１７によってディスク型記録媒体に記録され、必要に応じて読み出し、利用される。
【００７９】
判定処理部３５は、平均値算出部３４により算出される平均値が所定の基準値を超えるか否かを判定する処理を行う。ここで、上述した基準値は予めデフォルト値として設定されているか、或いは利用者によって入力装置１５を用いて適宜設定される。この基準値は、第１の平均値及び第２の平均値のいずれに対しても、概ね８０％程度の値としておけば良好な結果が得られることが本願発明者により確かめられている。例えば、本実施形態では、第１の平均値に対する基準値を９７％と設定する。すなわち、第１の平均値が９７％以上となる場合に、当該第１の平均値を有する１／４波長板は望ましい特性を有すると判断する。同様に、本実施形態では、第２の平均値に対する基準値を９９％と設定する。すなわち、第２の平均値が９９％以上となる場合に、当該第２の平均値を有する１／４波長板は視感特性を考慮した状態においても望ましい特性を有すると判断する。
【００８０】
また、判定処理部３５は、偏光解消度算出部３２によって算出される各波長ごとの偏光解消度の中からその値が最小となるものを抽出し、当該抽出した偏光解消度（以下、これを「ｍｉｎ偏光解消度」と呼ぶ。）が所定の基準値を超えるか否かを判定する処理を行う。ここで、基準値は予めデフォルト値として設定されているか、或いは利用者によって入力装置１５を用いて適宜設定される。例えば、本実施形態では、この基準値を９５％と設定する。すなわち、ある１／４波長板における各波長ごとの偏光解消度の中から抽出したｍｉｎ偏光解消度が９５％以上となる場合に当該１／４波長板は望ましい特性を有すると判断する。このｍｉｎ偏光解消度に関する判定は、対象とする波長範囲のすべてについて行ってもよいが、人間の視感がより敏感な波長範囲内において行うと更に効果的である。例えば、本実施形態では、波長範囲を４４０ｎｍ〜６７０ｎｍの範囲に限って、当該範囲内においてｍｉｎ偏光解消度を抽出する。
【００８１】
更に、判定処理部３５は、上述した第１の平均値、第２の平均値及びｍｉｎ解消度の３条件を含めた総合的な判定を行う。判定結果は、例えば、３条件をすべて満たす場合を「ランクＡ」、２条件を満たす場合を「ランクＢ」、１条件を満たす場合を「ランクＣ」、いずれの条件も満たさない場合を「ランクＤ」というように表現される。上述した図２の表においては、この総合判定の例が欄Ｌ８に示されている。
【００８２】
なお、第１の平均値、第２の平均値、ｍｉｎ偏光解消度のそれぞれのデータや、当該データを用いた判定処理部３５による判定結果は、適宜、表示装置１６に表示されると共に、ハードディスク装置１４に記憶され、或いはディスク装置１７によってディスク型記録媒体に記録され、必要に応じて読み出し、利用される。
【００８３】
本実施形態の１／４波長板の検査システムはこのような構成を有しており、次に、検査時の手順について説明する。
【００８４】
図１０は、１／４波長板の検査手順について説明するフローチャートである。同図では、主にコンピュータ１の動作手順が示されている。
【００８５】
まず、検査対象となる１／４波長板３が用意される（ステップＳ１００）。次に、用意された１／４波長板３に光を通したときに生じる常光線と異常光線との位相差δを、各波長ごとに測定して得られる位相差データが位相差測定装置２によって測定される。この位相差データが制御部３０（より具体的にはＣＰＵ１０）によって取得され、位相差データ格納部３１に格納される（ステップＳ１０１）。上述したように、位相差データはインタフェース部１３を介して位相差測定装置２から直接的に取得されてもよく、記録媒体を介して取得されてもよい。
【００８６】
次に、偏光解消度算出部３２は、位相差データ格納部３１に格納された位相差データを用いて、各波長ごとに偏光解消度を算出する（ステップＳ１０２）。偏光解消度の具体的な算出方法は上述した通りである。
【００８７】
次に、重み付け処理部３３は、偏光解消度の算出結果に対して比視感度に基づく重み付け処理（補正）を行う（ステップＳ１０３）。重み付け処理の具体的な方法は上述した通りである。
【００８８】
平均値算出部３４は、各波長ごとの偏光解消度の平均値を算出する（ステップＳ１０４）。上述したように、平均値算出部３４は、各波長ごとの偏光解消度の平均値（第１の平均値）と、重み付け処理部３３による重み付け処理がなされた後の偏光解消度の平均値（第２の平均値）のいずれも算出する。
【００８９】
次に、判定処理部３５は、平均値算出部３４から第１の平均値及び第２の平均値を取得し、各平均値をそれぞれ所定の基準値と比較し、当該基準値を超えるか否かの判定（適否の判定）を行う（ステップＳ１０５）。具体的な判定手順は上述した通りであり、本実施形態では、第１の平均値についてはこれが９７％以上となる場合に肯定的な判断を行い、第２の平均値についてはこれが９９％以上となる場合に肯定的な判断を行う。
【００９０】
また、判定処理部３５は、偏光解消度算出部３２によって算出される各波長ごとの偏光解消度の中からｍｉｎ偏光解消度を抽出してこれを所定の基準値と比較し、当該基準値を超えるか否かの判定（適否の判定）を行う（ステップＳ１０６）。具体的な判定手順は上述した通りであり、本実施形態では、ｍｉｎ偏光解消度が９５％以上となる場合に肯定的な判断を行う。
【００９１】
更に、判定処理部３５は、上述した第１の平均値、第２の平均値及びｍｉｎ解消度の３条件を含めた総合的な判定を行う（ステップＳ１０１７）。上述したように、本実施形態では、３条件をすべて満たす場合を「ランクＡ」、２条件を満たす場合を「ランクＢ」、１条件を満たす場合を「ランクＣ」、いずれの条件も満たさない場合を「ランクＤ」というように判定を行う。
【００９２】
また、判定処理部３５による判定結果やその他のデータは、適宜、表示装置１６に表示されると共に、ハードディスク装置１４等に格納される。
【００９３】
このように、本実施形態では、上述した偏光解消度を品質パラメータとして用いて、当該偏光解消度の平均値が所定の基準値以上となるように１／４波長板を形成することにより、光学ローパスフィルタの構成要素に用いて好適な１／４波長板を得ることが可能となる。
【００９４】
また、偏光解消度に対して視感特性を考慮した重み付け処理を行うことにより、感度の高い波長における偏光解消度をより重要視し、人間の視感特性に合致しているか否かを的確に評価することが可能となる。
【００９５】
次に、上述した実施形態の１／４波長板を含んで光学ローパスフィルタを構成する場合の具体例について説明する。
【００９６】
図１１は、一例の光学ローパスフィルタの構造を示す図である。図１１に示す光学ローパスフィルタ２００は、２つの複屈折板２０１、２０２と、１／４波長板２０３を含んで構成されており、２つの複屈折板２０１、２０２の間に１／４波長板２０３を挿入した３層構造となっている。各複屈折板は、例えば水晶板からなる。
【００９７】
図１２は、図１１に示した光学ローパスフィルタの構造について、主に光学軸と光線の進行方向に着目して詳細に説明する説明図である。図１２では、光学ローパスフィルタ１を構成する各層が分解斜視図によって示されている。また、図１３は、光学ローパスフィルタ２００を構成する各層を通過することによる入射光の分離状態を説明する説明図である。
【００９８】
光入射側に配置される複屈折板２０１は、光入射面と直交し、かつ紙面と平行な面（ｘ−ｚ平面）において、ｚ軸と約４５度の方位角をなす方向（矢印Ａ１により示す方向）に光学軸（光学的主軸）を有している。この複屈折板１０に入射した光線Ｌ１は（図１３（ａ）参照）、複屈折板１０の有する複屈折性によって、２つの光線Ｌ１１、Ｌ１２に分離されて出射する（図１３（ｂ）参照）。これらの光線Ｌ１１、Ｌ１２は、それぞれ偏光状態が直線偏光に変化して出射する。
【００９９】
１／４波長板２０３は、光入射面（ｘ−ｙ平面）において、ｘ軸と約４５度の方位角をなす方向（矢印Ａ２により示す方向）に光学軸を有している。これにより、１／４波長板２０３に入射した光線Ｌ１１、Ｌ１２は、それぞれ直線偏光から円偏光に偏光状態が変えられ、２つの光線Ｌ１３、Ｌ１４となって出射する。
【０１００】
光出射側に配置される複屈折板２０２は、光入射面と直交し、かつ紙面と直交する面（ｙ−ｚ平面）において、ｙ軸と約４５度の方位角をなす方向（矢印Ａ３により示す方向）に光学軸を有している。この複屈折板２０２に入射した光線Ｌ１３は、複屈折板２０２の有する複屈折性によって、２つの光線Ｌ１５、Ｌ１６に分離されて出射する（図１３（ｃ）参照）。同様に、複屈折板２０２に入射した光線Ｌ１４は、２つの光線Ｌ１７、Ｌ１８に分離されて出射する（図１３（ｃ）参照）。これらの光線Ｌ１５、Ｌ１６、Ｌ１７、Ｌ１８は、それぞれ偏光状態が直線偏光に変化して出射する。
【０１０１】
次に、上述した光学ローパスフィルタを含んで構成される撮像モジュール及び撮像装置の具体例について説明する。
【０１０２】
図１４は、撮像モジュールの構成例とこの撮像モジュールを含む撮像装置の構成例を示す図である。図１４に示す撮像モジュール３００は、本発明にかかる光学ローパスフィルタ３０１と、ＣＣＤ等のセンサからなり、光学像を電気信号に変換する撮像素子３０２と、この撮像素子３０２を駆動する駆動部３０３を含んで構成されている。
【０１０３】
この撮像モジュール３００と、光入射側に配置されるレンズ３１０と、撮像モジュール３００から出力される撮像信号の記録・再生等を行う本体部３２０を含んで、撮像装置を構成することができる。なお、図示しないが、本体部３２０には、撮像信号の補正等を行う信号処理部、撮像信号を磁気テープ等の記録媒体に記録する記録部及びこの撮像信号を再生する再生部、再生された映像を表示する表示部など各種の構成要素が含まれる。また、上述したレンズ３１０も含めて撮像モジュールが構成されていてもよい。
【０１０４】
また、入射光の波長範囲を例えばＲＧＢ三原色に対応して３分割して取り扱う撮像モジュール等においては、分割された各波長範囲ごとに好適な特性の１／４波長板を形成し、更にこれを用いて光学ローパスフィルタを形成するようにしてもよい。このような３つの光学ローパスフィルタをそれぞれ別個の撮像素子と組み合わせて撮像モジュールを構成することが可能である。このような撮像モジュールは、撮像対象となる光学像を波長域ごとに分離して撮像する場合に好適である。
【０１０５】
図１５は、対象とする波長範囲を分けて撮像モジュールを構成する場合の構成例を説明する図である。図１５に示す撮像モジュールは、４５０ｎｍを含む第１の波長範囲に対応して形成される１／４波長板を含んでなる第１の光学ローパスフィルタ３０１ａが第１の撮像素子３０２ａと組み合わされている。また、５５０ｎｍを含む第２の波長範囲に対応して形成される１／４波長板を含んでなる第２の光学ローパスフィルタ３０１ｂが第２の撮像素子３０２ｂと組み合わされている。また、６５０ｎｍを含む第３の波長範囲に対応して形成される１／４波長板を含んでなる第３の光学ローパスフィルタ３０１ｃが第３の撮像素子３０２ｃと組み合わされている。各駆動部３０３ａ〜３０３ｃは、それぞれ各撮像素子３０２ａ〜３０２ｃを駆動する。上述した各波長範囲は、例えば、第１の波長範囲が４００ｎｍ〜５００ｎｍ、第２の波長範囲が５００ｎｍ〜６００ｎｍ、第３の波長範囲が６００ｎｍ〜７００ｎｍとそれぞれ設定されるが、この限りではない。各波長範囲は部分的に重複していてもよい。
【０１０６】
図１６及び図１７は、撮像装置（電子機器）の具体例を示す図である。図１６では、撮像装置の一例として、静止画の撮影を行うデジタルスチルカメラを模式的に示した斜視図が示されている。また、図１７では、撮像装置の一例として、動画の撮影を行うデジタルカメラを模式的に示した斜視図が示されている。なお、これらのデジタルスチルカメラやデジタルカメラ以外にも、いわゆるカメラ付き携帯電話、いわゆるカメラ付き携帯型パソコン（パーソナルコンピュータ）など各種の電子機器においても、本発明に係る光学ローパスフィルタや撮像モジュールを用いて撮像部を構成することが可能である。
【０１０７】
なお、本発明は上述した実施形態の内容に限定されるものではなく、本発明の要旨の範囲内において種々の変形実施が可能である。例えば、上述した実施形態では、本発明にかかる１／４波長板の光学特性評価用のプログラムをコンピュータ１（例えば、汎用のパーソナルコンピュータ等）に実行させることにより１／４波長板の検査装置としての機能を実現していたが、同等な機能を有する専用装置として検査装置を構成してもよい。
【０１０８】
また、上述した実施形態では、偏光解消度の計算式を上記（１）式のように定義していたが、ｓｉｎ（２π×δ／λ）の項を２乗する演算に代えて、この項の絶対値を取るようにしてもよい。この場合の計算式は下記のようになる。
偏光解消度＝｜ｓｉｎ（２π×δ／λ）｜×１００（％）
上記計算式によっても、上述した実施形態と同様にして位相差板の評価をし得る。
【図面の簡単な説明】
【０１０９】
【図１】偏光解消度の計算式の物理的な意味を説明するための図である。
【図２】位相差δのデータと偏光解消度との関係の具体例を概略的に示す図である。
【図３】偏光解消度を特性パラメータとして形成した１／４波長板の具体例についてその光学特性を説明する図である。
【図４】偏光解消度を特性パラメータとして形成した１／４波長板の具体例についてその光学特性を説明する図である。
【図５】偏光解消度を特性パラメータとして形成した１／４波長板の具体例についてその光学特性を説明する図である。
【図６】偏光解消度を特性パラメータとして形成した１／４波長板の具体例についてその光学特性を説明する図である。
【図７】ＣＩＥ標準視感度の曲線について説明する図である。
【図８】一実施形態の１／４波長板の検査システムの構成について説明する図である。
【図９】コンピュータが位相差板の検査装置として機能する際の当該機能に着目してその構成を説明するブロック図である。
【図１０】１／４波長板の検査手順について説明するフローチャートである。
【図１１】一例の光学ローパスフィルタの構造を示す図である。
【図１２】図１１に示した光学ローパスフィルタの構造について、主に光学軸と光線の進行方向に着目して詳細に説明する説明図である。
【図１３】光学ローパスフィルタを構成する各層を通過することによる入射光の分離状態を説明する説明図である。
【図１４】撮像モジュールの構成例とこの撮像モジュールを含む撮像装置の構成例を示す図である。
【図１５】対象とする波長範囲を分けて撮像モジュールを構成する場合の構成例を説明する図である。
【図１６】撮像装置（電子機器）の具体例を示す図である。
【図１７】撮像装置（電子機器）の具体例を示す図である。
【符号の説明】
【０１１０】
１…コンピュータ、  ２…位相差測定装置、  ３…１／４波長板、  １０…ＣＰＵ、  １１…ＲＯＭ、  １２…ＲＡＭ、  １３…インタフェース部、  １４…ハードディスク装置、  １５…入力装置、  １６…表示装置、  １７…ディスク装置、  １８…プログラム、  ３０…制御部、  ３１…位相差データ格納部、  ３２…偏光解消度算出部３２、  ３３…重み付け処理部、  ３４…平均値算出部、  ３５…判定処理部
【図１】
2005055803.tif 000004
【図２】
2005055803.tif 000005
【図３】
2005055803.tif 000006
【図４】
2005055803.tif 000007
【図５】
2005055803.tif 000008
【図６】
2005055803.tif 000009
【図７】
2005055803.tif 000010
【図８】
2005055803.tif 000011
【図９】
2005055803.tif 000012
【図１０】
2005055803.tif 000013
【図１１】
2005055803.tif 000014
【図１２】
2005055803.tif 000015
【図１３】
2005055803.tif 000016
【図１４】
2005055803.tif 000017
【図１５】
2005055803.tif 000018
【図１６】
2005055803.tif 000019
【図１７】
2005055803.tif 000020